(57)【要約】      （修正有）【課題】除湿機により台風雲の生起・移動・消滅の制御を運用するエコロジー処理コンピュータ台風対策航空機を提供する。【解決手段】ＧＰＳ航法台風ガイド５により情報化された雨や雷などの台風雲６に、雲４を吸い込む吸い込み口３を有する除湿機２を搭載の飛行機１で、電波時計９と１００万分の１秒高速度カメラ８で地上台風被害市街地７の上空を情報化運用し、雲の生起・移動・消滅により晴・曇・雨とする。【選択図】図１
0003158196.tif 000002
【実用新案登録請求の範囲】
【請求項１】
除湿機を搭載した飛行機エコロジー処理コンピュータ台風。
【請求項２】
ＧＰＳ航法台風ガイドを具備する事を特徴とする請求項１記載のエコロジー処理コンピュータ台風。
【請求項３】
１００万分の１秒高速度カメラを具備する事を特徴とする請求項１記載のエコロジー処理コンピュータ台風。
【請求項４】
電波時計を具備する事を特徴とする請求項１記載のエコロジー処理コンピュータ台風。
【考案の詳細な説明】
【技術分野】
【０００１】
本考案は、従来のエコロジー処理コンピュータ台風としての除湿機による台風雲制御エコロジー処理コンピュータ台風に関する。
【背景技術】
【０００２】
人工衛星ひまわりによる雨や雷などの台風雲情報化エコロジー処理コンピュータ台風です。
【考案の開示】
【考案が解決しようとする課題】
【０００３】
しかしながら、人工衛星ひまわりによる台風雲情報化エコロジー処理コンピュータ台風では、情報化までで、台風雲を制御できないという欠点がある。
【０００４】
本考案は、上記実情に鑑みてなされたものであり、除湿機により、台風雲の生起・移動・消滅の制御をする事を目的としている。
【課題を解決するための手段】
【０００５】
上記目的を達成するため考案は、除湿機を情報化された台風雲制御に運用する手段を有することであり、次の構成を含むことを特徴としている。
ＧＰＳ航法台風ガイド（宇宙の人工衛星３個の電波を利用して、台風雲の位置を知り）による雨や雷などの台風雲を生起・移動・消滅制御する除湿機を搭載する飛行機の運用によるものである。
【考案の効果】
【０００６】
本考案により、地上台風被害市街地上空の雨や雷などの台風雲の生起・移動・消滅を電波時計による同時に１００万分の１秒高速度カメラによる情報化で制御する事ができる。
【考案を実施するための最良の形態】
【０００７】
本考案の実施の形態の一例について、図面を参照しながら説明する。
エコロジー処理コンピュータ台風は図１に示すように、ＧＰＳ航法台風ガイド５、により情報化された雨や雷などの台風雲６、に、雲４、を吸い込む除湿機吸い込み口３、を有する除湿機２、を塔載の飛行機１、で電波時計９、と１００万分の１秒高速度カメラ８、で地上台風被害市街地７、の上空を情報化運用するものである。
【図面の簡単な説明】
【０００８】
【図１】本考案のエコロジー処理コンピュータ台風を示す図である。
【符号の説明】
【０００９】
１          飛行機（除湿機塔載）
２          除湿機
３          除湿機吸い込み口
４          雲
５          ＧＰＳ航法台風ガイド
６          雨や雷などの台風雲
７          地上台風被害市街地
８          １００万分の１秒高速度カメラ
９          電波時計
【図１】
0003158196.tif 000003
【手続補正書】
【提出日】平成20年11月28日(2008.11.28)
【手続補正１】
【補正対象書類名】実用新案登録請求の範囲
【補正対象項目名】全文
【補正方法】変更
【補正の内容】
【実用新案登録請求の範囲】
【請求項１】
台風雲の生起・移動・消滅を制御する除湿機を搭載した飛行機エコロジー処理コンピュータ台風機。
【請求項２】
ＧＰＳ航法システムを具備する事を特徴とする請求項１記載のエコロジー処理コンピュータ台風機。
【請求項３】
除湿機の台風雲にねらいを決める情報化装置１００万分の１秒高速度カメラを具備する事を特徴とする請求項１記載のエコロジー処理コンピュータ台風機。
【請求項４】
ＧＰＳ航法システムとの同時性を創る電波時計を具備する事を特徴とする請求項１記載のエコロジー処理コンピュータ台風機。
【手続補正２】
【補正対象書類名】明細書
【補正対象項目名】全文
【補正方法】変更
【補正の内容】
【考案の詳細な説明】
【技術分野】
【０００１】  本考案は、従来のエコロジー処理コンピュータ台風機としての除湿機による台風雲制御エコロジー処理コンピュータ台風機に関する。
【背景技術】
【０００２】  人工衛星ひまわりによる雨や雷などの台風雲情報化エコロジー処理コンピュータ台風機です。
【考案の開示】
【考案が解決しようとする課題】
【０００３】  しかしながら、人工衛星ひまわりによる台風雲情報化エコロジー処理コンピュータ台風機では、情報化までで、台風雲を制御できないという欠点がある。【０００４】  本考案は、上記実情に鑑みてなされたものであり、除湿機により、台風雲の生起・移動・消滅の制御をする事を目的としている。
【課題を解決するための手段】
【０００５】  上記目的を達成するため考案は、除湿機を情報化された台風雲制御に運用する手段を有することであり、次の構成を含むことを特徴としている。  ＧＰＳ航法システム（宇宙の人工衛星３個の電波を利用して、台風雲の位置を知り）による雨や雷などの台風雲を生起・移動・消滅制御する除湿機を搭載する飛行機の運用によるものである。
【考案の効果】
【０００６】  本考案により、地上台風被害市街地上空の雨や雷などの台風雲の生起・移動・消滅を電波時計による同時に１００万分の１秒高速度カメラによる情報化で制御する事ができる。
【考案を実施するための最良の形態】
【０００７】  本考案の実施の形態の一例について、図面を参照しながら説明する。  エコロジー処理コンピュータ台風機は図１に示すように、ＧＰＳ航法システム５、により情報化された雨や雷などの台風雲６、に、雲４、を吸い込む除湿機吸い込み口３、を有する除湿機２、を塔載の飛行機１、で電波時計９、と１００万分の１秒高速度カメラ８、で地上台風被害市街地７、の上空を情報化運用するものである。
【図面の簡単な説明】
【０００８】
【図１】本考案のエコロジー処理コンピュータ台風機を示す図である。
【符号の説明】
【０００９】  １          飛行機（除湿機とＧＰＳ航法システム塔載）  ２          除湿機  ３          除湿機吸い込み口  ４          雲  ５          ＧＰＳ航法システム  ６          雨や雷などの台風雲  ７          地上台風被害市街地  ８          １００万分の１秒高速度カメラ  ９          電波時計
【手続補正書】
【提出日】平成21年1月23日(2009.1.23)
【手続補正２】
【補正対象書類名】明細書
【補正対象項目名】０００１
【補正方法】変更
【補正の内容】
【０００１】  本考案は、従来のエコロジー処理コンピュータ台風対策航空機としての除湿機による台風雲制御エコロジー処理コンピュータ台風対策航空機に関する。
【手続補正３】
【補正対象書類名】明細書
【補正対象項目名】０００２
【補正方法】変更
【補正の内容】
【０００２】  人工衛星ひまわりによる雨や雷などの台風雲情報化エコロジー処理コンピュータ台風対策航空機です。
【手続補正４】
【補正対象書類名】明細書
【補正対象項目名】０００３
【補正方法】変更
【補正の内容】
【０００３】  しかしながら、人工衛星ひまわりによる台風雲情報化エコロジー処理コンピュータ台風対策航空機では情報化までで、台風雲を制御できないという欠点がある。
【手続補正５】
【補正対象書類名】明細書
【補正対象項目名】０００５
【補正方法】変更
【補正の内容】
【０００５】  上記目的を達成するため考案は、ゼロックス複写機の光帯電板上でカーボン粒子を静電気により文字を形成したり消滅させるように雲の上層部でプラスの静電気下層部でマイナスの静電気により台風雲を形成しており、その状態により綿菓子のように形状変化が起きる事から、除湿機により雲の一部を微粒子として吸いとる事により台風雲の形状を変え、静電気分布を変化させ新しい雲を生起あるいは移動又は消滅させていくものです。考案の除湿機搭載の航空機の位置を台風雲に整合させその気象制御とすることであり、次の構成を含むことを特徴としている。  ＧＰＳ航法システム、宇宙の人工衛星３個の電波を利用して、航空機と台風雲の位置の整合を計り、その生起・移動・消滅を電波時計による同時に１００万分の１秒高速度カメラにによる情報化ができる制御ができる。
【手続補正６】
【補正対象書類名】明細書
【補正対象項目名】０００７
【補正方法】変更
【補正の内容】
【０００７】
【図１】本考案のエコロジー処理コンピュータ台風対策航空機を示す図である。エコロジー処理コンピュータ台風対策航空機は、図１に示すように、GPS航法システム５、により位置がわかる航空機の除湿機２と整合される雨や雷などの台風雲６、に雲４、除湿機吸い込み口３、電波時計９、１００万分の１秒高速度カメラ８、地上台風被害市街地７、であります。
【手続補正７】
【補正対象書類名】明細書
【補正対象項目名】０００８
【補正方法】変更
【補正の内容】
【０００８】  本考案の実施の形態の一例について、図面を参照しながら説明する。エコロジー処理コンピュータ台風対策航空機は図１に示すように、ＧＰＳ航法システム５、により位置がわかる航空機１が雨や雷などの台風雲６、を整合し、雲４、を吸い込む除湿機吸い込み口３、を有する除湿機２、を搭載の航空機１、で電波時計９、と１００万分の１秒高速度カメラ８、で地上台風被害市街地７、の上空を情報化運用するものである。
【手続補正８】
【補正対象書類名】明細書
【補正対象項目名】０００９
【補正方法】変更
【補正の内容】
【０００９】１  航空機（除湿機搭載）２  除湿機３  除湿機吸い込み口４  雲５  ＧＰＳ航法システム６  雨や雷などの台風雲７  地上台風被害市街地８  １００万分の１秒高速度カメラ９  電波時計      
【手続補正９】
【補正対象書類名】実用新案登録請求の範囲
【補正対象項目名】全文
【補正方法】変更
【補正の内容】
【実用新案登録請求の範囲】
【請求項１】
台風雲の形状破壊の除湿機を搭載した航空機エコロジー処理コンピュータ台風対策航空機。
【請求項２】
GPS航法システムを具備する事を特徴とする請求項１記載のエコロジー処理コンピュータ台風対策航空機。
【請求項３】
１００万分の１秒高速度カメラを具備する事を特徴とする請求項１記載のエコロジー処理台風対策航空機。 
【請求項４】
電波時計を具備する事を特徴とする請求項１記載のエコロジー処理コンピュータ台風対策航空機。
【手続補正書】
【提出日】平成21年3月12日(2009.3.12)
【手続補正１】
【補正対象書類名】実用新案登録請求の範囲
【補正対象項目名】請求項１
【補正方法】変更
【補正の内容】
【請求項１】
台風雲の一部を微粒子として吸い取る事により台風雲の形状を変える除湿機を一台以上搭載した航空機で編隊飛行できる、従来のシュミレーションまでの情報処理コンピュータにエコロジーとしての台風に対して、物理学的、地学的、生物学的、化学的仕事を追加した処理をコンピュータで行う、生物学的仕事の例として桜前線と称されるエコロジーの情報化を南は沖縄から北は北海道まで、コンピュータ処理して天気予報とするエコロジー処理コンピュータもあるが、エコロジー処理コンピュータ台風対策航空機。エントロピー量で終わりそうな情報処理コンピュータを有効仕事化するエコロジー処理コンピュータ化への提案例です。
【手続補正書】
【提出日】平成21年4月24日(2009.4.24)
【手続補正１】
【補正対象書類名】実用新案登録請求の範囲
【補正対象項目名】全文
【補正方法】変更
【補正の内容】
【実用新案登録請求の範囲】
【請求項１】
Ｃ.Ｇ.合成の絵による桜の開花をシュミレーションとして情報化してきた情報処理コンピュータ、その情報を使用して太陽エネルギー制御による生物学的仕事をさせて日本列島に於ける情報化を桜前線と呼びこの環境技術の向上まで含めてエコロジー処理コンピュータと称します。他にもエネルギー一定のエネルギー・フィールドに於ける移相制御の情報化を生物学、化学、物理学、地学的仕事の情報化をエコロジー処理と呼んでいる。台風雲の一部を微粒子として吸い取る事により台風雲の形状を変える除湿機を１台以上塔載した航空機で編隊飛行できる。従来の情報処理コンピュータによる天気予報の情報を使い塔載の除湿機による物理学的仕事による環境技術の向上をコンピュータ制御で計り台風雲の形状変化を実験して知るためのエコロジー処理コンピュータ台風対策航空機。
【請求項２】
ＧＰＳ航法システムにより自分の位置を知る航空機が台風雲との位置を整合するためＧＰＳ航法システムを具備する事を特徴とする請求項１記載のエコロジー処理コンピュータ台風対策航空機。
【請求項３】
時間制御の情報化をコンピュータ化するため１００万分の１秒高速度カメラを具備する事を特徴とする請求項１記載のエコロジー処理台風対策航空機。
【請求項４】
ＧＰＳ航法システムとそれにより自分の位置を知る航空機の同時性を創る電波時計を具備する事を特徴とする請求項１記載のエコロジー処理コンピュータ台風対策航空機。
【手続補正書】
【提出日】平成21年6月16日(2009.6.16)
【手続補正１】
【補正対象書類名】実用新案登録請求の範囲
【補正対象項目名】全文
【補正方法】変更
【補正の内容】
【実用新案登録請求の範囲】
【請求項１】
わかりやすくＣＧ合成の絵による桜の開花をシミュレーションとして情報化してきた情報処理コンピュータ、その情報を使用して太陽エネルギー制御による温室のように生物学的仕事をさせて日本列島に於ける情報化の桜前線を作るための環境技術の向上まで含めてエコロジー処理コンピュータと呼び一般化してエネルギー一定のエネルギー・フィールドに於ける移相制御の情報化とする生物学、化学、物理学、地学的仕事の情報化をエコロジー処理と呼んで提出分は一部を微粒子として吸い取る事により台風雲の形状を変える除湿機を１台以上搭載した航空機で編隊飛行して前記情報処理コンピュータによる天気予報の情報を使い搭載の除湿機による物理学的仕事により天気制御を果すためコンピュータ制御で計る台風雲の形状変化を実験して知るための除湿機搭載エコロジー処理コンピュータ台風対策航空機。
【請求項２】
ＧＰＳ航法システムにより自分の位置を知る航空機が台風雲との位置を整合するためＧＰＳ航法システムを具備する事を特徴とする請求項１記載のエコロジー処理コンピュータ台風対策航空機。
【請求項３】
時間制御の情報化をコンピュータ化するため１００万分の１秒高速度カメラを具備する事を特徴とする請求項１記載のエコロジー処理コンピュータ台風対策航空機。
【請求項４】
ＧＰＳ航法システムとそれにより自分の位置を知る航空機の同時性を創る電波時計を具備したコンピュータを具備する事を特徴とする請求項１記載のエコロジー処理コンピュータ台風対策航空機。
【手続補正２】
【補正対象書類名】明細書
【補正対象項目名】０００５
【補正方法】変更
【補正の内容】
【０００５】
上記目的を達成するため考案は、ゼロックス(商標登録)複写機の光帯電板上でカーボン粒子を静電気により文字を形成したり消滅させるように雲の上層部でプラスの静電気下層部でマイナスの静電気により台風雲を形成しており、その状態により綿菓子のように形状変化が起きる事から、除湿機により雲の一部を微粒子として吸い取る事により台風雲の形状を変え、静電気分布を変化させ新しい雲を生起あるいは移動又は消滅させていくものです。考案の除湿機搭載の航空機の位置を台風雲に整合させその気象制御とすることであり、次の構成を含むことを特徴としている。
ＧＰＳ航法システム、宇宙の人工衛星３個の電波を利用して、航空機と台風雲の位置の整合を計り、その生起・移動・消滅を電波時計を有するコンピュータにより同時に１００万分の１秒高速度カメラで情報化ができる事による制御ができる。
【手続補正書】
【提出日】平成21年8月14日(2009.8.14)
【手続補正１】
【補正対象書類名】実用新案登録請求の範囲
【補正対象項目名】請求項１
【補正方法】変更
【補正の内容】
【請求項１】
わかりやすくＣＧ合成の絵による桜の開花をシュミレーションとして情報化してきた情報処理コンピュータ、その情報を使用して太陽エネルギーの利用による温室のように生物学的仕事をさせて日本列島に於ける情報化の桜前線を作るための環境技術の向上まで含めてエコロジー処理コンピュータ呼び一般化してエネルギー一定のエネルギー・フィールドに於ける移相制御の情報化を生物学、化学、物理学、地学的仕事の情報化をエコロジー処理と呼んでその制御系の考案として、一部を微粒子として吸い取る事により台風雲の形状を変える除湿機を１台以上塔載した航空機で編隊飛行して前記情報処理コンピュータによる天気予報の情報を使い塔載の除湿機による物理学的仕事により天気制御を果すためコンピュータ制御で計る台風雲の形状変化を実験して知るための除湿機搭載エコロジー処理コンピュータ台風対策航空機。
【手続補正２】
【補正対象書類名】実用新案登録請求の範囲
【補正対象項目名】請求項４
【補正方法】変更
【補正の内容】
【請求項４】
ＧＰＳ航法システムとそれにより台風雲に対する航空機の自分の位置を知るためと除湿機搭載の航空機で雲を吸い取るための制御の同時性を創る電波時計を具備したコンピュータを具備する事を特徴とする請求項１記載のエコロジー処理コンピュータ台風対策航空機。
【手続補正書】
【提出日】平成21年10月14日(2009.10.14)
【手続補正１】
【補正対象書類名】実用新案登録請求の範囲
【補正対象項目名】請求項１
【補正方法】変更
【補正の内容】
【請求項１】
ＣＧ合成の動画によるチューリップの開花をシミュレーションとしてエネルギー一定のエネルギー・フィールドに於ける移相制御の情報化してきた情報処理コンピュータ、その情報を使用する事により環境技術の向上として太陽エネルギーの利用による温室のように大気エネルギーを扉開閉等による温・湿度時間制御を追加してチューリップの開花の動画アナロジー制御により自然花開花の生物学的仕事エコロジーの処理を果しますが、情報処理コンピュータに「ケシゴム付きえんぴつのように」追加した環境技術の向上のエネルギー制御デバイス（発明・装置・工夫・わな・仕掛け）による生物学、化学、物理学、地学的仕事の情報化をエコロジー処理コンピュータと呼ぶ事にするため、ここに台風雲の形状変化をシミュレーションとしてきた情報処理コンピュータに於ける情報を使用する事により環境技術の向上としてここに一部を微粒子として吸い取る事により台風雲の形状変化とそれによる新しい雲の生起・移動・消滅を制御する航空機の方向と速さをエネルギー制御デバイスに加えた除湿機を１台以上塔載航空機で編隊飛行して台風雲形状変化の動画アナロジー制御により台風雲消滅実験の物理学、化学的エコロジーの処理を果す除湿機塔載エコロジー処理コンピュータ台風対策航空機。
【手続補正書】
【提出日】平成21年11月20日(2009.11.20)
【手続補正１】
【補正対象書類名】実用新案登録請求の範囲
【補正対象項目名】請求項１
【補正方法】変更
【補正の内容】
【請求項１】
Ｃ、Ｇ合成の動画によるチューリップの開花をシミュレーションとしてきた情報処理コンピュータ。その情報を使用する事により環境技術の向上として太陽エネルギーの利用による温室のように扉開閉等による温湿度時間制御をするエネルギー制御デバイスを追加してチューリップの開花の動画アナロジー制御により自然花開花の生物学的仕事エコロジーの処理を果しますが、情報処理コンピュータに「ケシゴム付きえんぴつのように」追加した環境技術の向上のエネルギー制御デバイスによる生物学、化学、物理学、地学的仕事の情報化をエコロジー処理コンピュータと呼ぶ事にするため、ここに台風雲の形状変化をシミュレーションとしてきた情報処理コンピュータに於ける情報を使用する事により環境技術の向上としてここに一部を微粒子として吸い取る事により台風雲の形状変化とそれによる新しい雲の生起・移動・消滅を制御する航空機の方向と速さのエネルギー制御デバイスに加えた除湿機を１台以上搭載する航空機で編隊飛行して台風雲形状変化の動画アナロジー制御により台風雲消滅実験の物理学、化学的エコロジーの処理を果す航空機のエネルギー制御デバイスと共にエコロジー処理コンピュータを構成する除湿機搭載のエコロジー処理コンピュータ台風対策航空機。
【手続補正書】
【提出日】平成22年1月15日(2010.1.15)
【手続補正１】
【補正対象書類名】実用新案登録請求の範囲
【補正対象項目名】請求項１
【補正方法】変更
【補正の内容】
【請求項１】
除湿機を１台以上搭載する例えばホバリング機能を有したＦ−３５航空機で編隊飛行する除湿機とそれを搭載する航空機まで含めたエネルギーをコンピュータコントロールで制御してエコロジーとしての雲の一部を微粒子として吸い取る事により台風雲の形状変化をテストするエコロジー処理コンピュータを構成するエコロジー処理コンピュータ台風対策航空機。